(57)【要約】      （修正有）【課題】昇降動作を自在に行なうことのできるガイドユニットを組み込むことで、伸縮脚自体の面倒な機械的加工を不要とした、伸縮脚およびその伸縮脚を有するテーブル装置の提供。【解決手段】一対の伸縮脚２，２を、第１脚杆６に対して第２脚杆７を昇降ガイドユニット１６を介して進退可能に構成する。昇降ガイドユニット１６は、前記第１脚杆６内双璧に二組組み込んだもので、第１脚杆６内長軸方向に配置した外組子１７と、この外組子１７に沿って昇降移動し、前記第２脚杆７内上部に取り付ける一方、第２脚杆７長軸に沿って配置した内組子１８とによって構成する。前記外組子１７は、長尺杆であり、双方の長手側縁を断面半円弧状に加工して前記多数の転動体１９を保持したリテーナ２０を添設する。前記内組子１８は、前記外組子１７における長手側縁間のリテーナ２０の転動体１９に、外組子１７幅方向に当接するとともに外組子１７に沿って移動可能に係合する。【選択図】              図３
2004154188.tif 000002
【特許請求の範囲】
【請求項１】
第１の脚杆に対して第２の脚杆を昇降ガイドユニットを介して進退可能に構成し、前記昇降ガイドユニットは、前記第１脚杆内の第１脚杆内面長軸方向に配置して、第１脚杆内から前記第２脚杆内上部に至る構成としたことを特徴とする伸縮脚。
【請求項２】
前記第１脚杆と第２脚杆間に、第２脚杆を第１脚杆に対して一定の位置関係を保持するためのスペーサ手段を配設したことを特徴とする請求項１記載の伸縮脚。
【請求項３】
前記昇降ガイドユニットは、前記第１脚杆内壁に第１脚杆長軸方向に配置した外組子と、この外組子に沿って昇降移動し、前記第２脚杆内上部に取り付ける一方、第２脚杆長軸に沿って配置した内組子とによって構成したことを特徴とする請求項１記載の伸縮脚。
【請求項４】
前記昇降ガイドユニットは、前記第１脚杆内壁に第１脚杆長軸方向に配置した内組子と、この内組子に沿って昇降移動し、前記第２脚杆内上部に取り付ける一方、第２脚杆長軸に沿って配置した外組子とによって構成したことを特徴とする請求項１記載の伸縮脚。
【請求項５】
第１の脚杆に対して第２の脚杆を昇降ガイドユニットを介して進退可能に構成して、これら第１脚杆と第２脚杆とによりテーブル板を昇降可能に支持してなり、前記昇降ガイドユニットは、前記第１脚杆内の第１脚杆内面長軸方向に配置して、第１脚杆内から前記第２脚杆内上部に至る構成としたことを特徴とする伸縮脚を有するテーブル装置。
【請求項６】
前記第１脚杆と第２脚杆間に、第２脚杆を第１脚杆に対して一定の位置関係を保持するためのスペーサ手段を配設したことを特徴とする請求項５記載の伸縮脚を有するテーブル装置。
【請求項７】
前記昇降ガイドユニットは、前記第１脚杆内壁に第１脚杆長軸方向に配置した外組子と、この外組子に沿って昇降移動し、前記第２脚杆内上部に取り付ける一方、第２脚杆長軸に沿って配置した内組子とによって構成したことを特徴とする請求項５記載の伸縮脚を有するテーブル装置。
【請求項８】
前記昇降ガイドユニットは、前記第１脚杆内壁に第１脚杆長軸方向に配置した内組子と、この内組子に沿って昇降移動し、前記第２脚杆内上部に取り付ける一方、第２脚杆長軸に沿って配置した外組子とによって構成したことを特徴とする請求項５記載の伸縮脚を有するテーブル装置。
【発明の詳細な説明】
【０００１】
【発明の属する技術分野】
本発明は、ベッドのボトム上方に跨ぐようにもたらして使う、テーブル装置に関し、特に、昇降動作を自在に行なうことのできるガイドユニットを組み込むことで伸縮脚自体の特殊な機械的加工を不要とした、伸縮脚およびその伸縮脚を有するテーブル装置に関するものである。
【０００２】
【従来の技術】
従来より、病院においても家庭内においても、ベッドのボトム上方に跨ぐようにもたらして使う、オーバーベッドテーブルがある。
かかるオーバーベッドテーブルとしては、特開平７−２６５１３４号公報で開示されるものがある。このオーバーベッドテーブルにおける脚部は、特開平７−２７９９７１号公報で示されるボールリテーナ組立体を組み込んだ昇降ガイドを用いている。
【０００３】
【発明が解決しようとする課題】
従って、上記脚部の構造では、ボールリテーナ組立体を組み込むために、脚部を構成する第１脚杆、第２脚杆に煩雑な機械的加工を要する。
本発明は、かかる不都合を改善するために提案されたものであって、ベッドのボトム上方に跨ぐようにもたらして使う、テーブル装置に関し、特に、昇降動作を自在に行なうことのできるガイドユニットを組み込むことで伸縮脚自体の特殊な機械的加工を不要とした、伸縮脚およびその伸縮脚を有するテーブル装置を提供することを目的とする。
【０００４】
【課題を解決するための手段】
前記した課題を解決するために、本発明では、請求項１において、第１の脚杆に対して第２の脚杆を昇降ガイドユニットを介して進退可能に構成し、前記昇降ガイドユニットは、前記第１脚杆内の第１脚杆内面長軸方向に配置して、第１脚杆内から前記第２脚杆内上部に至る構成とした伸縮脚を提案する。
また本発明では、請求項２において、前記第１脚杆と第２脚杆間に、第２脚杆を第１脚杆に対して一定の位置関係を保持するためのスペーサ手段を配設した伸縮脚を提案する。
また本発明では、請求項３において、前記昇降ガイドユニットは、前記第１脚杆内壁に第１脚杆長軸方向に配置した外組子と、この外組子に沿って昇降移動し、前記第２脚杆内上部に取り付ける一方、第２脚杆長軸に沿って配置した内組子とによって構成した伸縮脚を提案する。
また本発明では、請求項４において、前記昇降ガイドユニットは、前記第１脚杆内壁に第１脚杆長軸方向に配置した内組子と、この内組子に沿って昇降移動し、前記第２脚杆内上部に取り付ける一方、第２脚杆長軸に沿って配置した外組子とによって構成した伸縮脚を提案する。
また本発明では、請求項５において、第１の脚杆に対して第２の脚杆を昇降ガイドユニットを介して進退可能に構成して、これら第１脚杆と第２脚杆とによりテーブル板を昇降可能に支持してなり、前記昇降ガイドユニットは、前記第１脚杆内の第１脚杆内面長軸方向に配置して、第１脚杆内から前記第２脚杆内上部に至る構成とした伸縮脚を有するテーブル装置を提案する。
また本発明では、請求項６において、前記第１脚杆と第２脚杆間に、第２脚杆を第１脚杆に対して一定の位置関係を保持するためのスペーサ手段を配設した伸縮脚を有するテーブル装置を提案する。
また本発明では、請求項７において、前記昇降ガイドユニットは、前記第１脚杆内壁に第１脚杆長軸方向に配置した外組子と、この外組子に沿って昇降移動し、前記第２脚杆内上部に取り付ける一方、第２脚杆長軸に沿って配置した内組子とによって構成した伸縮脚を有するテーブル装置を提案する。
さらに本発明では、請求項８において、前記昇降ガイドユニットは、前記第１脚杆内壁に第１脚杆長軸方向に配置した内組子と、この内組子に沿って昇降移動し、前記第２脚杆内上部に取り付ける一方、第２脚杆長軸に沿って配置した外組子とによって構成した伸縮脚を有するテーブル装置を提案する。
【０００５】
請求項１によれば、昇降ガイドユニットを第１脚杆内から、第２脚杆内上部に至るように配置して、第１脚杆に対して第２脚杆を昇降ガイドユニットを介して進退可能に構成したから、外に前記昇降ガイドユニットが露出することはない。
【０００６】
請求項２によれば、第１脚杆に対して第２脚杆を伸縮させる際、昇降ガイドユニットとスペーサ手段によってがたつくことなく円滑に伸縮させることができる。
【０００７】
請求項３によれば、昇降ガイドユニットを第１脚杆内に長軸方向に配設した外組子と、第２脚杆内上部から第２脚杆長軸に沿って配置した内組子とで構成したので、昇降ガイドユニットを組み込むのに、前記第１脚杆および第２脚杆に手間のかかる機械加工は不要となる。
【０００８】
請求項４によれば、昇降ガイドユニットを第１脚杆内に長軸方向に配設した内組子と、第２脚杆内上部から第２脚杆長軸に沿って配置した外組子とで構成したので、昇降ガイドユニットを組み込むのに、前記第１脚杆および第２脚杆に手間のかかる機械加工は不要となる。
【０００９】
請求項５によれば、昇降ガイドユニットを第１脚杆内から、第２脚杆内上部に至るように配置して、第１脚杆に対して第２脚杆を昇降ガイドユニットを介して進退可能に構成し、テーブル板を支持するようにしたから、外に前記昇降ガイドユニットが露出することはない。
【００１０】
請求項６によれば、第１脚杆に対して第２脚杆を伸縮させる際、昇降ガイドユニットとスペーサ手段によってがたつくことなく円滑に伸縮させてテーブル板を昇降させることができる。
【００１１】
請求項７によれば、第１脚杆内に長軸方向に配設した外組子と、第２脚杆内上部から第２脚杆長軸に沿って配置した内組子を前記第１脚杆内の外組子に沿って伸縮させることで、テーブル板を円滑に昇降させることができる。
【００１２】
請求項８によれば、第１脚杆内に長軸方向に配設した内組子と、第２脚杆内上部から第２脚杆長軸に沿って配置した外組子を前記第１脚杆内の内組子に沿って伸縮させることで、テーブル板を円滑に昇降させることができる。
【００１３】
【発明の実施の形態】
以下、本発明にかかる伸縮脚およびその伸縮脚を有するテーブル装置につき、ベッド上のマットレス上方にもたらして使用するオーバーベッドテーブルの一つの実施の形態を示し、添付の図面に基づいて説明する。
図１にオーバーベッドテーブル１を示す。このオーバーベッドテーブル１は、一対の伸縮脚２，２によってテーブル板受具３を介してテーブル板４を支持する構成としている。
前記一対の伸縮脚２，２は、同期的に昇降させる昇降同期手段（後述）を具備すると共に、後述する昇降補助手段（例えばガススプリング）をいずれか一方の伸縮脚２に備え、前記テーブル板４の両端寄りのテーブル板受具３に、前記昇降補助手段を拘束解除操作するための解除操作手段５をそれぞれ配置するようにしている。
【００１４】
前記一対の伸縮脚２，２は、第１脚杆６に対して第２脚杆７を昇降ガイドユニット（後述）を介して進退可能に構成し、前記第１脚杆６，６基端部には、キャスタＣを介して床面に接地させる基部フレーム８，８を装着している。
これら伸縮脚２，２のうちの一方の伸縮脚２における第１脚杆６内に昇降補助手段であるガススプリング９が内蔵され、前記解除操作手段５によってガススプリング９を拘束解除したり拘束状態とすることで、第２脚杆７を昇降させてテーブル板４を所望の高さに調節保持するようにしている（図２参照）。
また、前記一対の伸縮脚２，２には、周知の昇降同期手段１０を配置している。すなわち、昇降同期手段１０は、前記第２脚杆７下端側内面に軸着した下部プーリ１１，１１と、脚部２，２の折り畳み中心軸としての支軸１２，１２に設けた上部プーリ１３，１３と、これら上部プーリ１３，１３および下部プーリ１１，１１間に掛け渡した線状部材１４とを備え、この線状部材１４を前記第１脚杆６側に固定した構成としている。
【００１５】
前記第１脚杆６は、方形状パイプであり、前記第２脚杆７は、前記第１脚杆６を所定の間隔をもって第２脚杆７内に突没可能な寸法の方形状パイプで構成している（図３参照）。またこれら第１脚杆６と第２脚杆７間には、第２脚杆７を第１脚杆６に対して一定の位置関係を保持するためのスペーサ手段１５を配設している。
そしてかかる第１脚杆６と第２脚杆７との間には、第１脚杆６に対して第２脚杆７を昇降自在に構成するための昇降ガイドユニット１６，１６を介在させている。
【００１６】
そこで前記昇降ガイドユニット１６について、図３、図４、図５、図６に基づいて詳細に説明する。
すなわち昇降ガイドユニット１６は、前記第１脚杆６内双璧に二組組み込んだもので、第１脚杆６内長軸方向に配置した外組子１７と、この外組子１７に沿って昇降移動し、前記第２脚杆７内上部に取り付ける一方、第２脚杆７長軸に沿って配置した内組子１８とによって構成している。なお、前記昇降ガイドユニット１６は、一組でも可能である。また、前記昇降ガイドユニット１６と逆に第１脚杆６内側に内組子１８、第２脚杆７内側に外組子１７を組み込むようにしてもよい。
【００１７】
前記外組子１７は、長尺杆であり、双方の長手側縁１７ｅ，１７ｅを断面半円弧状に加工して前記多数の転動体１９，１９を保持したリテーナ２０を添設している。
かかる外組子１７は、前記第１脚杆６内面の互いに対向する面に沿って適宜な固定手段（例えばねじ止め、溶接等）で取り付けている。この場合、外組子１７の長さ寸法は、前記第１脚杆６全長寸法に比較して若干短いものとしている。
【００１８】
一方、前記内組子１８は、前記外組子１７における長手側縁１７ｅ，１７ｅ間に添設されたリテーナ２０により保持された転動体１９，１９に、外組子１７幅方向に当接するとともに外組子１７に沿って移動可能に係合するようにしたもので、前記転動体１９，１９に対し、外組子１７幅方向から当接するように、両側縁１８ｅ，１８ｅを起曲して、これら両側縁１８ｅ，１８ｅの外側面を、前記転動体１９，１９の案内転動面とするべく、断面円弧状凹面に形成している。
かかる内組子１８は、第２脚杆７内上部に取付板２１を介して取り付ける一方、第２脚杆７長軸に沿って配置している。
【００１９】
そして、前記第２脚杆７を第１脚杆６に対して一定の位置関係を保持するためのスペーサ手段１５は、キャップ状のもので、前記第２脚杆７の下端側に嵌着させており、前記第２脚杆７は、前記スペーサ手段１５を介し、抵抗なく進退動作する構成である。
【００２０】
以上のようなオーバーベッドテーブル１における一対の伸縮脚２，２によれば、伸縮脚２を構成する第１脚杆６に、第２脚杆７を進退自在に保持するために、昇降ガイドユニット１６を前記第１脚杆６側と第２脚杆７側とに配設する。
かかる昇降ガイドユニット１６を組み付けるにあたり、外組子１７は、前記第１脚杆６内面の互いに対向する面に沿って適宜な固定手段（例えばねじ止め、溶接等）で取り付ける。この場合、第１脚杆６内において、前記外組子１７は、互いに多数の転動体１９，１９を保持したリテーナ２０を対向するようにする。また外組子１７上端側を前記第１脚杆６上端側に合わせる。
【００２１】
一方、内組子１８は、前記第１脚杆６内面に取り付けた外組子１７，１７に対応して、第２脚杆７内上部に取付板２１を介して一対取り付けて、第２脚杆７長手中心軸に沿うように配置する。
そして、第１脚杆６を、スペーサ手段１５を介して第２脚杆７下端側から差し入れ、この際、第２脚杆７内に配置した内組子１８，１８が、第１脚杆６内の外組子１７，１７における長手側縁１７ｅ，１７ｅ間に添設されたリテーナ２０により保持された転動体１９，１９に、外組子１７幅方向に当接するとともに外組子１７に沿って移動して嵌入していき、さらに、前記スペーサ手段１５を第２脚杆７下端側に止め付けるようにして組み立てを終了することができる。
【００２２】
以上のようにして組み付けた昇降ガイドユニット１６により、第１脚杆６に対し、第２脚杆７を進退自在に保持することができ、これまでのようなベアリングを用いる際の、第１脚杆６および第２脚杆７に対する面倒な加工は不要であり、工程を簡単化することができる。
しかも、第１脚杆６に対して、第２脚杆７を昇降させても、昇降ガイドユニット１６における外組子１７，１７は、第１脚杆６内に配設され、また内組子１８，１８も、第２脚杆７内上部に取付板２１を介して取り付けて、第２脚杆７長手中心軸に沿うように配置しているので、外組子１７にしても、かかる内組子１８にしても露出することはない。
【００２３】
【発明の効果】
本発明によれば、
（１）昇降ガイドユニットを第１脚杆内から、第２脚杆内上部に至るように配置して、第１脚杆に対して第２脚杆を昇降ガイドユニットを介して進退可能に構成したから、外に前記昇降ガイドユニットが露出することはない。
（２）第１脚杆に対して第２脚杆を伸縮させる際、昇降ガイドユニットとスペーサ手段によってがたつくことなく円滑に伸縮させることができる。
（３）昇降ガイドユニットを第１脚杆内に長軸方向に配設した外組子と、第２脚杆内上部から第２脚杆長軸に沿って配置した内組子とで構成したので、昇降ガイドユニットを組み込むのに、前記第１脚杆および第２脚杆に手間のかかる機械加工は不要となる。
（４）昇降ガイドユニットを第１脚杆内に長軸方向に配設した内組子と、第２脚杆内上部から第２脚杆長軸に沿って配置した外組子とで構成したので、昇降ガイドユニットを組み込むのに、前記第１脚杆および第２脚杆に手間のかかる機械加工は不要となる。
（５）昇降ガイドユニットを第１脚杆内から、第２脚杆内上部に至るように配置して、第１脚杆に対して第２脚杆を昇降ガイドユニットを介して進退可能に構成し、テーブル板を支持するようにしたから、外に前記昇降ガイドユニットが露出することはない。
（６）第１脚杆に対して第２脚杆を伸縮させる際、昇降ガイドユニットとスペーサ手段によってがたつくことなく円滑に伸縮させてテーブル板を昇降させることができる。
（７）第１脚杆内に長軸方向に配設した外組子と、第２脚杆内上部から第２脚杆長軸に沿って配置した内組子を前記第１脚杆内の外組子に沿って伸縮させることで、テーブル板を円滑に昇降させることができる。
（８）第１脚杆内に長軸方向に配設した内組子と、第２脚杆内上部から第２脚杆長軸に沿って配置した外組子を前記第１脚杆内の内組子に沿って伸縮させることで、テーブル板を円滑に昇降させることができる。
【００２４】
【図面の簡単な説明】
【図１】本発明にかかる伸縮脚を採用したテーブル装置の、一つの実施形態を示す、外観斜視図である。
【図２】図１に示すテーブル装置の側面説明図である。
【図３】図１に示すテーブル装置における伸縮脚の断面説明図である。
【図４】図３に示す伸縮脚の横断面説明図である。
【図５】図３に示す伸縮脚の昇降ガイドユニットの断面説明図である。
【図６】昇降ガイドユニットの平面図である。
【図７】図３に示す伸縮脚を伸長させた状態を示す、断面説明図である。
【符号の説明】
１                          オーバーベッドテーブル
２                          伸縮脚
３                          テーブル板受具
４                          テーブル板
５                          解除操作手段
６                          第１脚杆
７                          第２脚杆
８                          基部フレーム
９                          ガススプリング
１０                        昇降同期手段
１１                        下部プーリ
１２                        支軸
１３                        上部プーリ
１４                        線状部材
１５                        スペーサ手段
１６                        昇降ガイドユニット
１７                        外組子
１７ｅ                      長手側縁
１８                        内組子
１８ｅ                      側縁
１９                        転動体
２０                        リテーナ
２１                        取付板
Ｃ                          キャスタ
【図１】
2004154188.tif 000003
【図２】
2004154188.tif 000004
【図３】
2004154188.tif 000005
【図４】
2004154188.tif 000006
【図５】
2004154188.tif 000007
【図６】
2004154188.tif 000008
【図７】
2004154188.tif 000009